(57)【要約】【課題】  ＩＰ網を利用したファクシミリ送信に失敗した場合に、公衆電話網への発呼が可能な場合に公衆電話網への再発呼を行う通信端末装置を提供する。【解決手段】  ＩＰ−ＦＡＸ部８０によるＩＰ網に対する発呼に際して制御部１０により通信エラーを検出した場合に、ＩＰ網に対する発呼の際に用いた宛先情報が、操作部５１で入力を受け付けた電話番号を、送信先に対応する宛先情報に変換した宛先情報であった場合に、この電話番号を用いてアナログＦＡＸ部７０により公衆電話網に対する発呼を行い、ＩＰ網に対する発呼の際に用いた宛先情報が、操作部５１で入力を受け付けたアドレスであった場合には、アナログＦＡＸ部７０による公衆電話網に対する発呼は行わない。【選択図】        図１
2011205456.tif 000002
【特許請求の範囲】
【請求項１】
ＩＰ(Internet Protocol)網に接続し、前記ＩＰ網を介したファクシミリ送信を行う第１の通信手段と、
公衆電話網に接続し、前記公衆電話網を介したファクシミリ送信を行う第２の通信手段と、
前記第１の通信手段の通信エラーを検出する通信エラー検出手段と、
ファクシミリ送信の送信先を指定する情報として、前記第１の通信手段が前記ＩＰ網に発呼する際に用いる宛先情報、又は前記第２の通信手段が前記公衆電話網に発呼する際に用いる電話番号の入力を受け付けると共に、ファクシミリ送信に使用する通信手段として前記第１の通信手段又は前記第２の通信手段の選択入力を受け付ける受付手段と、
ファクシミリ送信に使用する通信手段として前記第１の通信手段が選択され、前記送信先を指定する情報として、電話番号の入力を前記受付手段で受け付けた場合に、受け付けた電話番号を、前記第１の通信手段が前記ＩＰ網に発呼する際に用いる宛先情報に変換する変換情報を記憶する記憶手段と、
前記受付手段で選択入力を受け付けた通信手段が前記第１の通信手段であった場合に、前記受付手段で入力を受け付けた宛先情報、又は前記受付手段で入力を受け付けた電話番号を、前記記憶手段を参照して送信先に対応する宛先情報に変換した宛先情報を用いて、前記第１の通信手段により前記ＩＰ網に対する発呼を行うように前記第１の通信手段を制御し、又、前記第１の通信手段による前記ＩＰ網に対する発呼において、前記通信エラー検出手段により通信エラーを検出した場合であって、前記ＩＰ網に対する発呼の際に用いた宛先情報が、前記受付手段で入力を受け付けた電話番号を、送信先に対応する宛先情報に変換した宛先情報であった場合に、前記電話番号を用いて前記第２の通信手段により前記公衆電話網に対して再発呼を行うように前記第２の通信手段を制御する制御手段と、
を有することを特徴とする通信端末装置。
【請求項２】
前記制御手段は、前記第１の通信手段による前記ＩＰ網に対する発呼に際して前記通信エラー検出手段により通信エラーを検出した場合であって、前記ＩＰ網に対する発呼の際に用いた宛先情報が、前記受付手段で入力を受け付けた宛先情報であった場合に、前記第２の通信手段による前記公衆電話網に対する再発呼は行わないように前記第２の通信手段を制御することを特徴とする請求項１記載の通信端末装置。
【請求項３】
前記制御手段は、前記第１の通信手段による前記ＩＰ網に対する発呼に際して前記通信エラー検出手段により通信エラーを検出した場合であって、前記ＩＰ網に対する発呼の際に用いた宛先情報が、前記受付手段で入力を受け付けた国際電話番号を、対応する宛先情報に変換した宛先情報であった場合に、前記受付手段で入力を受け付けた国際電話番号を用いて、前記第２の通信手段により前記公衆電話網に対して再発呼を行うように前記第２の通信手段を制御することを特徴とする請求項１又は２記載の通信端末装置。
【請求項４】
前記記憶手段は、送信先が複数の電話回線を有する場合に、前記複数の電話回線の電話番号を対応付けて記憶し、
前記受付手段は、前記第２の通信手段による再発呼を行う場合に、前記記憶手段に、対応付けて記憶された前記複数の電話回線の電話番号の中から、再発呼に使用する電話回線の電話番号の選択入力を受け付け、
前記制御手段は、前記第１の通信手段による前記ＩＰ網に対する発呼に際して前記通信エラー検出手段により通信エラーを検出した場合であって、前記ＩＰ網に対する発呼の際に用いた宛先情報が、前記受付手段で入力を受け付けた電話番号を、送信先に対応する宛先情報に変換した宛先情報であった場合に、前記受付手段で入力を受け付けた再発呼に使用する電話回線の電話番号を使用して、前記第２の通信手段により前記公衆電話網に対する再発呼を行うように前記第２の通信手段を制御することを特徴とする請求項１又は２記載の通信端末装置。
【請求項５】
前記記憶手段は、前記ＩＰ網に発呼する際に発信者番号を相手に通知するか否かを示す情報を記憶し、
前記制御手段は、前記第１の通信手段による前記ＩＰ網に対する発呼に際して前記通信エラー検出手段により通信エラーを検出した場合であって、前記ＩＰ網に対する発呼の際に使用した宛先情報が、前記受付手段で入力を受け付けた電話番号を、送信先に対応する宛先情報に変換した宛先情報であった場合に、前記電話番号が、前記記憶手段に発信者番号を通知する番号として記憶されていた場合、又は前記第１の通信手段により前記ＩＰ網に発呼する際に発信者番号を相手に通知する設定入力を前記受付手段で受け付けた場合に、前記第２の通信手段による再発呼の際に、発信者番号を通知した発呼を行うように前記第２の通信手段を制御し、又、前記電話番号が、前記記憶手段に発信者番号を通知する番号として記憶されていなかった場合、又は前記第１の通信手段により前記ＩＰ網に発呼する際に発信者番号を相手に通知する設定入力を前記受付手段で受け付けなかった場合に、前記第２の通信手段による再発呼の際に、発信者番号を通知した発呼を行わないように前記第２の通信手段を制御することを特徴とする請求項１又は２記載の通信端末装置。
【請求項６】
前記記憶手段は、前記公衆電話網に発呼する際に用いる電話番号と、前記第１の通信手段によるＩＰ網への発呼に失敗した場合に、前記第２の通信手段による前記公衆電話網への再発呼を行うか否かを示す情報とを記憶し、
前記制御手段は、前記第１の通信手段による前記ＩＰ網に対する発呼に際して前記通信エラー検出手段により通信エラーを検出した場合であって、前記ＩＰ網に対する発呼の際に使用した宛先情報が、前記受付手段で入力を受け付けた電話番号を、送信先に対応する宛先情報に変換した宛先情報であった場合に、前記記憶手段を参照して前記電話番号が再発呼を許可する電話番号であるか否かを判定し、再発呼を許可する電話番号であった場合に、前記第２の通信手段による前記電話番号への再発呼を行うように前記第２の通信手段を制御することを特徴とする請求項１又は２記載の通信端末装置。
【請求項７】
前記受付手段は、前記第２の通信手段による再発呼に失敗した場合に、再度、同一の電話番号に再発呼を行うか否かの設定情報の入力を受け付け、
前記制御手段は、前記第１の通信手段による前記ＩＰ網に対する発呼に際して前記通信エラー検出手段により通信エラーを検出した場合であって、前記ＩＰ網に対する発呼の際に使用した宛先情報が、前記受付手段で入力を受け付けた電話番号を、送信先に対応する宛先情報に変換した宛先情報であった場合に、前記電話番号への前記第２の通信手段による再発呼を行い、又、前記第２の通信手段による前記電話番号への再発呼に失敗した場合に、前記設定情報を参照して、前記設定情報が再度、同一の再発呼を行うに設定されている場合に、再度、前記第２の通信手段による前記電話番号への再発呼を行うように前記第２の通信手段を制御することを特徴とする請求項１又は２記載の通信端末装置。
【請求項８】
ＩＰ(Internet Protocol)網および公衆電話網に接続される通信端末装置の通信制御プログラムであって、
コンピュータに、
ＩＰ網に接続して前記ＩＰ網を介したファクシミリ送信を行う第１の通信手段が前記ＩＰ網に発呼する際に用いる宛先情報、又は公衆電話網に接続して前記公衆電話網を介したファクシミリ送信を行う第２の通信手段が前記公衆電話網に発呼する際に用いる電話番号を、ファクシミリ送信の送信先を指定する情報として入力を受け付けると共に、ファクシミリ送信に使用する通信手段の選択入力とを受け付けるステップと、
選択入力を受け付けた通信手段が前記第１の通信手段であった場合に、入力を受け付けた電話番号を、記憶手段に記憶された変換情報を参照して送信先に対応する宛先情報に変換した宛先情報、又は入力を受け付けた宛先情報を用いて、前記第１の通信手段による前記ＩＰ網に対する発呼を行うように第１の通信手段を制御するステップと、
前記第１の通信手段による前記ＩＰ網に対する発呼において通信エラーを検出した場合であって、前記ＩＰ網に対する発呼の際に用いた宛先情報が、入力を受け付けた電話番号を、送信先に対応する宛先情報に変換した宛先情報であった場合に、前記電話番号を用いて前記第２の通信手段により前記公衆電話網に対して再発呼を行うように前記第２の通信手段を制御するステップとを実行させることを特徴とするプログラム。
【発明の詳細な説明】
【技術分野】
【０００１】
本発明は、通信端末装置及びプログラムに関する。
【背景技術】
【０００２】
近年、ＩＰ（(Internet Protocol)網及び公衆電話網に接続可能なファクシミリ機能を備えた通信端末装置が提案されている（例えば、特許文献１及び２参照）。ユーザは、公衆電話網を介して画像を送る「ＦＡＸ」と、ＩＰ網を用いて画像を送るＦＡＸ（以下「ＩＰ−ＦＡＸ」と表記する）とを選択することが可能である。
【先行技術文献】
【特許文献】
【０００３】
【特許文献１】特開２００４−１８７２６２号公報
【特許文献２】特開２００５−７９９２９号公報
【発明の概要】
【発明が解決しようとする課題】
【０００４】
本発明は、ＩＰ網を利用したファクシミリ送信に失敗した場合に、公衆電話網への発呼が可能な場合に公衆電話網への再発呼を行う通信端末装置及びプログラムを提供することを目的とする。
【課題を解決するための手段】
【０００５】
かかる目的を達成するために請求項１記載の発明は、ＩＰ(Internet Protocol)網に接続し、前記ＩＰ網を介したファクシミリ送信を行う第１の通信手段と、公衆電話網に接続し、前記公衆電話網を介したファクシミリ送信を行う第２の通信手段と、前記第１の通信手段の通信エラーを検出する通信エラー検出手段と、ファクシミリ送信の送信先を指定する情報として、前記第１の通信手段が前記ＩＰ網に発呼する際に用いる宛先情報、又は前記第２の通信手段が前記公衆電話網に発呼する際に用いる電話番号の入力を受け付けると共に、ファクシミリ送信に使用する通信手段として前記第１の通信手段又は前記第２の通信手段の選択入力を受け付ける受付手段と、ファクシミリ送信に使用する通信手段として前記第１の通信手段が選択され、前記送信先を指定する情報として、電話番号の入力を前記受付手段で受け付けた場合に、受け付けた電話番号を、前記第１の通信手段が前記ＩＰ網に発呼する際に用いる宛先情報に変換する変換情報を記憶する記憶手段と、前記受付手段で選択入力を受け付けた通信手段が前記第１の通信手段であった場合に、前記受付手段で入力を受け付けた宛先情報、又は前記受付手段で入力を受け付けた電話番号を、前記記憶手段を参照して送信先に対応する宛先情報に変換された宛先情報を用いて、前記第１の通信手段により前記ＩＰ網に対する発呼を行うように前記第１の通信手段を制御し、又、前記第１の通信手段による前記ＩＰ網に対する発呼において、前記通信エラー検出手段により通信エラーを検出した場合であって、前記ＩＰ網に対する発呼の際に用いた宛先情報が、前記受付手段で入力を受け付けた電話番号を、送信先に対応する宛先情報に変換した宛先情報であった場合に、前記電話番号を用いて前記第２の通信手段により前記公衆電話網に対して再発呼を行うように前記第２の通信手段を制御する制御手段とを備える。
【０００６】
請求項２記載の発明は、請求項１記載の発明において、前記制御手段は、前記第１の通信手段による前記ＩＰ網に対する発呼に際して前記通信エラー検出手段により通信エラーを検出した場合であって、前記ＩＰ網に対する発呼の際に用いた宛先情報が、前記受付手段で入力を受け付けた宛先情報であった場合に、前記第２の通信手段による前記公衆電話網に対する発呼は行わないように前記第２の通信手段を制御するとよい。
【０００７】
請求項３記載の発明は、請求項１又は２記載の発明において、前記制御手段は、前記第１の通信手段による前記ＩＰ網に対する発呼に際して前記通信エラー検出手段により通信エラーを検出した場合であって、前記ＩＰ網に対する発呼の際に用いた宛先情報が、前記受付手段で入力を受け付けた国際電話番号を、送信先に対応する宛先情報に変換した宛先情報であった場合に、前記受付手段で入力を受け付けた国際電話番号を用いて前記第２の通信手段により前記公衆電話網に対して再発呼を行うように前記第２の通信手段を制御するとよい。
【０００８】
請求項４記載の発明は、請求項１又は２記載の発明において、前記記憶手段は、送信先が複数の電話回線を有する場合に、前記複数の電話回線の電話番号を対応付けて記憶し、前記受付手段は、前記第２の通信手段による再発呼を行う場合に、前記記憶手段に、対応付けて記憶された前記複数の電話回線の電話番号の中から、再発呼に使用する電話回線の電話番号の選択入力を受け付け、前記制御手段は、前記第１の通信手段による前記ＩＰ網に対する発呼に際して前記通信エラー検出手段により通信エラーを検出した場合であって、前記ＩＰ網に対する発呼の際に用いた宛先情報が、前記受付手段で入力を受け付けた電話番号を、送信先に対応する宛先情報に変換した宛先情報であった場合に、前記受付手段で入力を受け付けた再発呼に使用する電話回線の電話番号を使用して、前記第２の通信手段により前記公衆電話網に対する発呼を行うように前記第２の通信手段を制御するとよい。
【０００９】
請求項５記載の発明は、請求項１又は２記載の発明において、前記記憶手段は、前記ＩＰ網に発呼する際に発信者番号を相手に通知するか否かを示す情報を記憶し、前記制御手段は、前記第１の通信手段による前記ＩＰ網に対する発呼に際して前記通信エラー検出手段により通信エラーを検出した場合であって、前記ＩＰ網に対する発呼の際に使用した宛先情報が、前記受付手段で入力を受け付けた電話番号を、送信先に対応する宛先情報に変換した宛先情報であった場合に、前記電話番号が、前記記憶手段に発信者番号を通知する番号として記憶されていた場合、又は前記第１の通信手段により前記ＩＰ網に発呼する際に発信者番号を相手に通知する設定入力を前記受付手段で受け付けた場合に、前記第２の通信手段による再発呼の際に、発信者番号を通知した発呼を行うように前記第２の通信手段を制御し、又、前記電話番号が、前記記憶手段に発信者番号を通知する番号として記憶されていなかった場合、又は前記第１の通信手段により前記ＩＰ網に発呼する際に発信者番号を相手に通知する設定入力を前記受付手段で受け付けなかった場合に、前記第２の通信手段による再発呼の際に、発信者番号を通知した発呼を行わないように前記第２の通信手段を制御するとよい。
【００１０】
請求項６記載の発明は、請求項１又は２記載の発明において、前記記憶手段は、前記公衆電話網に発呼する際に用いる電話番号と、前記第１の通信手段によるＩＰ網への発呼に失敗した場合に、前記第２の通信手段による前記公衆電話網への再発呼を行うか否かを示す情報とを記憶し、前記制御手段は、前記第１の通信手段による前記ＩＰ網に対する発呼に際して前記通信エラー検出手段により通信エラーを検出した場合であって、前記ＩＰ網に対する発呼の際に使用した宛先情報が、前記受付手段で入力を受け付けた電話番号を、送信先に対応する宛先情報に変換した宛先情報であった場合に、前記記憶手段を参照して前記電話番号が再発呼を許可する電話番号であるか否かを判定し、再発呼を許可する電話番号であった場合に、前記第２の通信手段による前記電話番号への再発呼を行うように前記第２の通信手段を制御するとよい。
【００１１】
請求項７記載の発明は、請求項１又は２記載の発明において、前記受付手段は、前記第２の通信手段による再発呼に失敗した場合に、再度、再発呼を行うか否かの設定情報の入力を受け付け、前記制御手段は、前記第１の通信手段による前記ＩＰ網に対する発呼に際して前記通信エラー検出手段により通信エラーを検出した場合であって、前記ＩＰ網に対する発呼の際に使用した宛先情報が、前記受付手段で入力を受け付けた電話番号を、送信先に対応する宛先情報に変換した宛先情報であった場合に、前記電話番号への前記第２の通信手段による再発呼を行い、又、前記第２の通信手段による前記電話番号への再発呼に失敗した場合に、前記設定情報を参照して、前記設定情報が再度、再発呼を行うに設定されている場合に、再度、前記第２の通信手段による前記電話番号への再発呼を行うように前記第２の通信手段を制御するとよい。
【００１２】
請求項８記載の発明は、ＩＰ(Internet Protocol)網および公衆電話網に接続される通信端末装置の通信制御プログラムであって、コンピュータに、ＩＰ網に接続して前記ＩＰ網を介したファクシミリ送信を行う第１の通信手段が前記ＩＰ網に発呼する際に用いる宛先情報、又は公衆電話網に接続して前記公衆電話網を介したファクシミリ送信を行う第２の通信手段が前記公衆電話網に発呼する際に用いる電話番号を、ファクシミリ送信の送信先を指定する情報として入力を受け付けると共に、ファクシミリ送信に使用する通信手段の選択入力とを受け付けるステップと、選択入力を受け付けた通信手段が前記第１の通信手段であった場合に、入力を受け付けた電話番号を、記憶手段に記憶された変換情報を参照して送信先に対応する宛先情報に変換した宛先情報、又は入力を受け付けた宛先情報を用いて、前記第１の通信手段による前記ＩＰ網に対する発呼を行うように第１の通信手段を制御するステップと、前記第１の通信手段による前記ＩＰ網に対する発呼において通信エラーを検出した場合であって、前記ＩＰ網に対する発呼の際に用いた宛先情報が、入力を受け付けた電話番号を、送信先に対応する宛先情報に変換した宛先情報であった場合に、前記電話番号を用いて前記第２の通信手段により前記公衆電話網に対して再発呼を行うように前記第２の通信手段を制御するステップとを実行させることを特徴としている。
【発明の効果】
【００１３】
請求項１記載の発明によれば、ＩＰ網を利用したファクシミリ送信に失敗した場合に、公衆電話網への発呼が可能な場合に公衆電話網への再発呼を行うことができる。
【００１４】
請求項２記載の発明によれば、ＩＰ網を利用したファクシミリ送信に失敗した場合に、公衆電話網への不要な再発呼が行われないようにすることができる。
【００１５】
請求項３記載の発明によれば、ＩＰ網を利用したファクシミリ送信の宛先として国際電話番号が入力され、国際電話番号をＩＰ網を利用したファクシミリ送信の宛先情報に変換してＩＰ網によるファクシミリ送信を行ったが送信に失敗した場合に、入力を受け付けた国際電話番号に、公衆電話網によるファクシミリ送信を行うことができる。
【００１６】
請求項４記載の発明によれば、ＩＰ網を利用したファクシミリ送信に失敗した場合に、予め設定された再発呼の電話番号に公衆電話網によるファクシミリ送信を行うことができる。
【００１７】
請求項５記載の発明によれば、ＩＰ網を利用したファクシミリ送信に失敗した場合に、電話番号を通知した公衆電話網へのファクシミリ送信、又は電話番号を通知しない公衆電話網へのファクシミリ送信を行うことができる。
【００１８】
請求項６記載の発明によれば、ＩＰ網を利用したファクシミリ送信の宛先として電話番号が入力され、電話番号を、ＩＰ網を利用したファクシミリ送信の宛先情報に変換してＩＰ網によるファクシミリ送信を行ったが送信に失敗した場合に、電話番号が再発呼を許可する番号であった場合に、この電話番号に、公衆電話網を介したファクシミリ送信を行うことができる。
【００１９】
請求項７記載の発明によれば、ＩＰ網によるファクシミリ送信及び公衆電話網によるファクシミリ送信に失敗した場合に、受け付けた設定情報に従って、再度、公衆電話網によるファクシミリ送信を行うことができる。
【００２０】
請求項８記載の発明によれば、ＩＰ網を利用したファクシミリ送信に失敗した場合に、公衆電話網への発呼が可能な場合に公衆電話網への再発呼を行うことができる。
【図面の簡単な説明】
【００２１】
【図１】通信端末装置の構成の一例を示すブロック図である。
【図２】ＮＶＲＡＭに記録された管理テーブルの構成の一例を示す図であり、（Ａ）は、電話番号管理テーブルの構成の一例を示す図であり、（Ｂ）は、送受信履歴管理テーブルの構成の一例を示す図である。
【図３】制御部の第１の処理手順（ステップＳ１３まで）を示すフローチャートである。
【図４】図３のフローチャートに続く制御部の第１の処理手順を示すフローチャートである。
【図５】制御部の第２の処理手順を示すフローチャートである。
【図６】制御部の第３の処理手順を示すフローチャートである。
【図７】制御部の第４の処理手順を示すフローチャートである。
【図８】制御部の第５の処理手順を示すフローチャートである。
【発明を実施するための形態】
【００２２】
以下、添付図面を参照しながら本発明の好適な実施例を説明する。
【実施例】
【００２３】
まず、図１を参照しながら実施例１の通信端末装置の構成について説明する。
通信端末装置１は、バス６０に、制御部１０、スキャナ部２０、画像蓄積部３０、画像形成部４０、ユーザインターフェース部（以下、ＵＩと表記する）５０、アナログＦＡＸ部７０、ＩＰ−ＦＡＸ部８０が接続されて構成される。
【００２４】
制御部１０は、ハードウェアとしてＣＰＵ（Central Processing Unit）１１と、ＲＯＭ（Read Only Memory）１２と、ＲＡＭ（Random Access Memory）１３と、ＮＶＲＡＭ（Non Volatile Random Access Memory）１４とを備える。ＲＯＭ１２には、ＣＰＵ１１が制御に使用する制御プログラムが記録されている。ＣＰＵ１１は、起動すると、制御プログラムをＲＯＭ１２から読み出してＲＡＭ１３に記憶させる。その後、ＣＰＵ１１は、ＲＡＭ１３に記憶したプログラムに従って処理を実行する。ＲＡＭ１３は、ＣＰＵ１１のワークメモリとして使用され、ＣＰＵ１１が演算に使用するデータ等が記憶される。ＮＶＲＡＭ１４には、制御データやシステムデータなど、通信端末装置１の電源がオフされたときも保持しておくデータが記録される。
【００２５】
スキャナ部２０は、所定の解像度で原稿の画像を光学的に読み取る。スキャナ部２０で読み取られた画像は、制御部１０の制御により、画像データとして画像蓄積部３０に蓄積される。
画像蓄積部３０は、スキャナ部２０で読み取られた画像データや、アナログＦＡＸ部７０やＩＰ−ＦＡＸ部８０で受信した画像データを蓄積する。
画像形成部４０は、例えば周知の電子写真方式に基づいて用紙に画像を形成する。
ＵＩ部５０は、ユーザに対して各種の情報を表示したり、ユーザから各種の操作を受け付けたりするためのインタフェースとなるものである。ＵＩ部５０は、操作部５１と表示部５２とを有している。操作部５１は、各種の操作キー、操作ボタン等を備え、ユーザの操作入力を受け付ける。表示部５２は、表示画面を備え、ユーザに対して通知する情報を制御部１０の制御に基づいて表示する。表示部５２の表示画面には、例えば、タッチパネル付きの液晶ディスプレイを用いることができる。
【００２６】
アナログＦＡＸ部７０は、アナログ公衆回線網を利用してアナログＦＡＸ通信（以下、アナログＦＡＸ部７０によるファクシミリ送受信をアナログＦＡＸ送受信という）を行うブロックであり、ＰＳＴＮ呼／網制御部７１と、Ｇ３ＦＡＸ伝送制御部７２と、モデム７３とを備えている。ＰＳＴＮ呼／網制御部７１は、アナログ公衆回線網にて呼の確立、網接続の制御を行う。Ｇ３ＦＡＸ伝送制御部７２は、ＩＴＵ−Ｔ勧告Ｔ．３０手順に従ってファクシミリプロトコルを制御する。モデム７３は、デジタル信号をアナログ信号に変換して公衆電話網に送出し、また公衆電話網から受信したアナログ信号をデジタル信号に変換して、ＰＳＴＮ呼／網制御部７１又はＧ３ＦＡＸ伝送制御部７２に送る。
【００２７】
ＩＰ−ＦＡＸ部８０は、呼接続制御部８１、画像通信制御部８２、Ｔ．３８ＩＦＰパケット制御部８３、ＴＣＰ／ＵＤＰ／ＩＰ呼制御部８４、ネットワークインターフェース（以下、ネットワークＩ／Ｆと表記する）部８５を備え、インターネットプロトコルによるネットワーク通信を制御する。
呼接続制御部８１は、ＳＩＰ(Session Initiation Protocol)のプロトコル処理を行なって、通信相手機との間で、セッションの確立、切断、機器の備える通信能力のネゴシエーション等を行う。
画像通信制御部８２は、ＩＴＵ−Ｔ勧告Ｔ．３０通信プロトコルを制御して、画像通信を実現する。
Ｔ．３８ＩＦＰパケット制御部８３は、ＩＴＵ−Ｔ勧告Ｔ．３８に準拠した、ＩＦＴパケット層のプロトコルを制御する。
ＴＣＰ／ＵＤＰ／ＩＰ呼制御部８４は、インターネットのトランスポート層／ネットワーク層のプロトコル制御を行なう。
ネットワークＩ／Ｆ部８５は、データリンク層以下の通信制御を行なう。
なお、ＩＰ−ＦＡＸ部８０によるファクシミリの送受信をＩＰ−ＦＡＸ送受信と呼ぶ。
【００２８】
次に、ＮＶＲＡＭ１４に記録される電話番号管理テーブルについて図２を参照しながら説明する。図２（Ａ）には、電話番号管理テーブルの構成の一例を示す。電話番号管理テーブルには、ユーザによって登録された電話番号（ファクシミリ送信に使用する電話番号）に対応付けて、電話番号が国内用の電話番号であるのか国際ファクシミリ送信用の電話番号であるのかを示す識別情報と、電話番号が発信者通知を許可する電話番号であるか否かを示す情報と、ＩＰ−ＦＡＸ送信で通信エラーになった場合に、ファクシミリ送信での再発呼を行うか否かを示す情報と、再発呼を行う場合に代わりに使用する再発呼時電話回線番号と、電話番号をＩＰ−ＦＡＸ送信で使用するアドレスに変換する場合の変換用ドメイン文字列（本願発明の変換情報に相当）とが登録されている。また、図２（Ｂ）には、ＩＰ−ＦＡＸ送信又はファクシミリ送信の送受信履歴を管理する送受信履歴管理テーブルの一例を示す。
この送受信履歴管理テーブルは、送受信先を識別する送受信先情報と、この送受信先とのＩＰ−ＦＡＸ送受信、又はアナログＦＡＸ送受信に失敗したか成功したかを示す履歴情報と、送信又は受信を行った日付と、送信又は受信を開始した時刻情報と、設定情報とが記録されている。なお、設定情報とは、アナログＦＡＸ部７０によるアナログＦＡＸ送信に失敗した画像データが画像蓄積部３０に蓄積されており、ユーザから再送信の入力があった場合に、アナログＦＡＸ送信に失敗した同一の電話番号に再発呼を行うか否かを設定した設定情報である。この設定情報は、例えば、ＩＰ−ＦＡＸ又はアナログＦＡＸ送信の初期設定時に、ユーザによって設定される。
なお、このＮＶＲＡＭ１４に記録された管理テーブルは、制御部１０の起動時に、ＮＶＲＡＭ１４から読み出されてＲＡＭ１３に記録される。
【００２９】
次に、図３に示すフローチャートを参照しながら制御部１０の処理手順を説明する。
まず、制御部１０は、操作部５１でユーザから送信先を指定する情報と、送信手段の選択入力とを受け付けたか否かを判定する（ステップＳ１）。送信先を指定する情報には、送信先の電話番号か、送信先のアドレスを使用することができる。また、送信手段には、公衆電話網を使用したアナログＦＡＸ送信と、ＩＰ網を使用したＩＰ−ＦＡＸ送信とがある。
【００３０】
操作部５１でユーザからの操作入力を受け付けたと判定すると（ステップＳ１／ＹＥＳ）、制御部１０は、操作部５１の操作入力に従って、送信する画像データをスキャナ部２０により読み込ませる。又は、制御部１０は、画像蓄積部３０に事前に蓄積されている画像データのうち、送信する画像データの指定を受け付ける（ステップＳ２）。
【００３１】
次に、制御部１０は、操作部５１で入力を受け付けた画像データの送信手段が、ＩＰ−ＦＡＸ送信であるのか否かを判定する（ステップＳ３）。選択された送信手段が、アナログＦＡＸ送信であった場合（ステップＳ３／ＮＯ）、制御部１０は、アナログＦＡＸ部７０を制御して、操作部５１から入力された電話番号にアナログＦＡＸ送信する（ステップＳ４）。また、選択された送信方法がＩＰ−ＦＡＸ送信であった場合（ステップＳ３／ＹＥＳ）、制御部１０は、操作部５１で入力を受け付けた送信先を指定する情報に、アットマーク（＠）が含まれるか否かを判定する（ステップＳ５）。ＩＰ−ＦＡＸ送信の場合、送信先を指定する情報として、送信先のアドレス以外に、送信先の電話番号を入力することもできる。制御部１０は、送信先を指定する情報にアットマークが含まれていると判定すると（ステップＳ５／ＹＥＳ）、送信を指定する情報をアドレスと判定し、このアドレスを宛先アドレスとして、ＩＰ−ＦＡＸ部８０によりＩＰ−ＦＡＸ送信を行う（ステップＳ６）。
【００３２】
また、送信を指定する情報にアットマークが含まれていないと判定した場合（ステップＳ５／ＮＯ）、制御部１０は、送信先を指定する情報は電話番号であると判定する。そして、制御部１０は、ＲＡＭ１３に記録されたテーブルを参照して、送信先を指定する電話番号を送信先のアドレスに変換するドメイン文字列が記録されているか否かを判定する（ステップＳ７）。制御部１０は、送信先を指定する電話番号を送信先のアドレスに変換するドメイン文字列がＲＡＭ１３に記録されていないと判定すると（ステップＳ７／ＮＯ）、通信不可エラーとして処理をエラー終了させる（ステップＳ８）。
【００３３】
また、ＲＡＭ１３に、送信先を指定する電話番号を送信先のアドレスに変換するドメイン文字列が記録されていた場合（ステップＳ７／ＹＥＳ）、制御部１０は、送信先を指定する電話番号に、アットマークとＲＡＭ１３から取得したドメイン文字列とを付加して、送信先を指定する電話番号をアドレスに変換する（ステップＳ９）。次に、制御部１０は、ＩＰ−ＦＡＸ部８０を使用し、変換したアドレスを宛先アドレスとして、画像データを相手先に送信する（ステップＳ１０）。
【００３４】
次に、制御部１０は、ＩＰ−ＦＡＸ送信を行う相手装置との呼接続に成功したか否かを判定する（ステップＳ１１）。相手装置から応答コードと、相手装置がデータ受信可能な状態にあることを示すコードとを受信した場合には、制御部１０は、呼接続に成功したと判定し（ステップＳ１１／ＹＥＳ）、画像データを相手装置に送信する。その後、制御部１０は、呼接続成功の履歴をＲＡＭ１３に記録する（ステップＳ１３）。呼接続成功の履歴は、例えば、送信先のアドレス、呼接続に成功した時刻等が含まれる。
【００３５】
また、通信端末装置１から送られた呼接続要求を相手装置側に中継するプロキシサーバから、エラーコードが応答として返信された場合、制御部１０は呼接続に失敗したと判定する（ステップＳ１１／ＮＯ）。この場合、制御部１０は、呼接続失敗の履歴をＲＡＭ１３に記録する（ステップＳ１２）。呼接続失敗の履歴として、例えば、送信先のアドレス、プロキシサーバから通知されたエラーコード、エラーコードの受信時刻などが含まれる。
【００３６】
次に、呼接続失敗の履歴を記録した後の制御部１０の処理手順について、図４に示すフローチャートを参照しながら説明する。
制御部１０は、呼接続に失敗すると、ＲＡＭ１３に記録した、発呼回数の残度数が０になっているか否かを判定する（ステップＳ２１）。ＮＶＲＡＭ１４には、呼接続に失敗した場合に、再度、呼接続の要求を相手装置側に発呼することができる回数がデフォルト値として記録されている。制御部１０は、通信端末装置１の起動時等に、ＮＶＲＡＭ１４に記録されたデフォルト値をＲＡＭ１３に記録しておき、呼接続に失敗するごとに発呼回数の残度数を減算していく。ＲＡＭ１３に記録した発呼回数の残度数が０となった場合には（ステップＳ２１／ＹＥＳ）、この処理を終了する。また、発呼回数の残数が０ではない場合には（ステップＳ２１／ＮＯ）、制御部１０は、ＲＡＭ１３に記録した発呼回数の残度数の値を１減算する（ステップＳ２２）。そして、制御部１０は、ＲＡＭ１３に記録した呼接続失敗の履歴を参照して、エラーコードを解析する（ステップＳ２３）。制御部１０は、エラーコードが、ＩＰ−ＦＡＸ送信で再発呼が可能なエラーコードであった場合（ステップＳ２３／ＹＥＳ）、同一の宛先情報を使用して、再度、ＩＰ−ＦＡＸ部８０によるＩＰ−ＦＡＸ送信を行い（ステップＳ２７）、上述したステップＳ１１からの処理を繰り返す。
【００３７】
また、エラーコードが、話中等のＩＰ−ＦＡＸ送信で再発呼が可能なエラーコードではなかった場合（ステップＳ２３／ＮＯ）、制御部１０は、エラーコードが公衆電話網を利用したファクリミリ通信可能なエラーコードであるか否かを判定する（ステップＳ２４）。制御部１０は、エラーコードが公衆電話網を利用したファクリミリ送信が可能なエラーコードではないと判定すると（ステップＳ２４／ＮＯ）、この処理を終了する。また、制御部１０は、エラーコードが公衆電話網を利用したアナログＦＡＸ送信が可能なエラーコードであると判定すると（ステップＳ２４／ＹＥＳ）、ステップＳ１において、操作部５１で入力を受け付けた送信先を指定する情報は、送信先の電話番号であったか否かを判定する（ステップＳ２５）。送信先を指定する情報が、送信先の電話番号であった場合（ステップＳ２５／ＹＥＳ）、制御部１０は、アナログＦＡＸ部７０を制御して、操作部５１で入力を受け付けた電話番号にアナログＦＡＸ送信する（ステップＳ２６）。なお、送信先の電話番号が国際電話番号であった場合にも、制御部１０は、アナログＦＡＸ部７０を制御して、操作部５１で入力を受け付けた国際電話番号にアナログＦＡＸ送信を行う（ステップＳ２６）。
【００３８】
このように、図３及び図４に示す処理手順では、操作部５１で入力を受け付けた送信先を指定する情報が電話番号であって、ＩＰ−ＦＡＸ送信に失敗した場合には、公衆電話網を介したアナログＦＡＸ送信が行われる。また、操作部５１で入力を受け付けた送信先を指定する情報がＩＰ−ＦＡＸ送信に使用するアドレスであった場合には、公衆電話網を介したアナログＦＡＸ送信は行われない。
【００３９】
次に、制御部１０の第２の処理手順を図５に示すフローチャートを参照しながら説明する。なお、第２の処理手順において、図５に示すステップＳ３１以前の手順は、図３に示すフローチャートと同一であるため説明を省略する。また、第２の処理手順において、図５に示すステップＳ３５までの処理手順は、図４に示すフローチャートと同一であるため説明を省略する。
制御部１０は、エラーコードが公衆電話網を利用したアナログＦＡＸ送信が可能なエラーコードであると判定すると（ステップＳ３４／ＹＥＳ）、ステップＳ１で操作部５１により入力を受け付けた送信先を指定する情報は、送信先の電話番号であったか否かを判定する（ステップＳ３５）。操作部５１により入力を受け付けた送信先を指定する情報が、送信先の電話番号であった場合（ステップＳ３５／ＹＥＳ）、制御部１０は、この送信先の電話番号に関連付けてＲＡＭ１３に記録され、再発呼の際に使用する電話番号として登録された電話番号があるか否かをＲＡＭ１３を参照して判定する（ステップＳ３６）。例えば、電話回線が複数接続されており、そのうちの1つが内線に繋がっていた場合、内線に発呼してもアナログＦＡＸ送信することはできない。このような問題の発生を防ぐため、制御部１０は、再発呼の際に使用する電話回線番号がＲＡＭ１３に登録されていれば、その回線番号に対応する電話回線を使用して、相手装置に公衆電話網を介したアナログＦＡＸ送信を行う（ステップＳ３７）。また、再発呼の際に使用する電話回線番号がＲＡＭ１３に登録されていなければ、あらかじめ定められた選択方法に従って選択した電話回線を使って、公衆電話網によるアナログＦＡＸ送信を行う（ステップＳ３８）。また、再発呼の際に使用する電話回線番号は、ＲＡＭ１３に事前に登録されていなくても、ＩＰ−ＦＡＸ部８０によるＩＰ−ＦＡＸ送信を行う際に、ＵＩ部５０で入力を受け付けた電話回線番号を使用するようにしてもよい。例えば、制御部１０は、ＲＡＭ１３に事前に登録された電話回線番号の一覧をＵＩ部５０に表示させて、表示させた電話回線番号の中から再発呼の際に使用する電話回線番号を選択させるようにしてもよい。
【００４０】
従って、この第２の処理手順では、再発呼の際に使用する電話回線番号がＲＡＭ１３に登録されていれば、この電話回線番号に対応する電話回線を使用して、相手装置に公衆電話網を介したアナログＦＡＸ送信が行われる。
【００４１】
次に、制御部１０の第３の処理手順を図６に示すフローチャートを参照しながら説明する。なお、第３の処理手順において、図６に示すステップＳ４１以前の手順は、図３に示すフローチャートと同一であるため説明を省略する。また、第３の処理手順において、図６に示すステップＳ４５までの処理手順は、図４に示すフローチャートと同一であるため説明を省略する。
制御部１０は、エラーコードが公衆電話網を利用したアナログＦＡＸ送信が可能なエラーコードであると判定すると（ステップＳ４４／ＹＥＳ）、ステップＳ１で操作部５１により入力を受け付けた送信先を指定する情報は、送信先の電話番号であったか否かを判定する（ステップＳ４５）。操作部５１により入力を受け付けた送信先を指定する情報が、送信先の電話番号であった場合（ステップＳ４５／ＹＥＳ）、制御部１０は、ＲＡＭ１３を参照して、この送信先の電話番号が、「発信者番号通知」に設定されているか否かを判定する（ステップＳ４６）。送信先の電話番号が発信者番号通知に設定されている場合には、制御部１０は、送信先の電話番号の先頭に、「１８６」が付加されているか否かを判定し、付加されていなければ、「１８６」を付加する（ステップＳ４７）。そして、制御部１０は、アナログＦＡＸ部７０を制御して、送信先の電話番号の先頭に「１８６」を付加した電話番号にアナログＦＡＸ送信を行う（ステップＳ４８）。
【００４２】
また、ステップＳ１で入力した送信先の電話番号が発信者番号通知に設定されていない（非通知）場合には（ステップＳ４６／ＮＯ）、制御部１０は、送信先の電話番号の先頭に、「１８４」が付加されているか否かを判定し、付加されていなければ、「１８４」を付加する（ステップＳ４９）。そして、制御部１０は、アナログＦＡＸ部７０を制御して、送信先の電話番号の先頭に「１８４」を付加した電話番号にアナログＦＡＸ送信を行う（ステップＳ４８）。
【００４３】
従って、この第３の処理手順では、入力された送信先の電話番号が発信者番号を通知するに設定されていれば、発信者番号を通知したアナログＦＡＸ送信が行われ、発信者番号を通知するに設定されていなければ、発信者番号を通知せずにアナログＦＡＸ送信が行われる。
なお、発信者番号を通知するか否かの設定は、ＲＡＭ１３に事前に登録されていなくてもよい。例えば、ＩＰ−ＦＡＸ部８０によるＩＰ−ＦＡＸ送信を行う際に、ＵＩ部５０で発信者番号を通知するか否かの設定情報を受け付け、受け付けた設定に従って、制御部１０が発信者番号の通知、非通知を設定してもよい。
【００４４】
次に、制御部１０の第４の処理手順を図７に示すフローチャートを参照しながら説明する。なお、第４の処理手順において、図７に示すステップＳ５１以前の手順は、図３に示すフローチャートと同一であるため説明を省略する。また、第４の処理手順において、図７に示すステップＳ５５までの処理手順は、図４に示すフローチャートと同一であるため説明を省略する。
制御部１０は、エラーコードが公衆電話網を利用したアナログＦＡＸ送信が可能なエラーコードであると判定すると（ステップＳ５４／ＹＥＳ）、ステップＳ１で操作部５１により入力を受け付けた送信先を指定する情報は、送信先の電話番号であったか否かを判定する（ステップＳ５５）。操作部５１により入力を受け付けた送信先を指定する情報が、送信先の電話番号であった場合（ステップＳ５５／ＹＥＳ）、制御部１０は、ＲＡＭ１３を参照して、ステップＳ１で入力を受け付けた送信先の電話番号が再発呼を許可された電話番号であるか否かを判定する（ステップＳ５６）。ＲＡＭ１３を参照した結果、送信先の電話番号が再発呼を許可された電話番号であると判定すると（ステップＳ５６／ＹＥＳ）、制御部１０は、アナログＦＡＸ部７０を制御して、送信先の電話番号にアナログＦＡＸ送信する（ステップＳ５７）。また、ＲＡＭ１３を参照した結果、送信先の電話番号が再発呼を許可された電話番号ではないと判定すると（ステップＳ５６／ＮＯ）、制御部１０は、アナログＦＡＸ送信を行わずに、処理を終了する。
【００４５】
従って、この第３の処理手順では、操作部５１で入力を受け付けた電話番号が、再発呼を許可する電話番号であった場合に、公衆電話網によるアナログＦＡＸ送信が行われる。
【００４６】
次に、制御部１０の第５の処理手順を図８に示すフローチャートを参照しながら説明する。なお、第５の処理手順において、図８に示すステップＳ６１以前の手順は、図３に示すフローチャートと同一であるため説明を省略する。また、第５の処理手順において、図８に示すステップＳ６６までの処理手順は、図４に示すフローチャートと同一であるため説明を省略する。
ステップＳ６５において、操作部５１により入力を受けた送信先を指定する情報が、送信先の電話番号であった場合（ステップＳ６５／ＹＥＳ）、制御部１０は、アナログＦＡＸ部７０を制御して、送信先の電話番号へのアナログＦＡＸ送信を行う（ステップＳ６６）。そして、制御部１０は、アナログＦＡＸ送信に成功したか否かを判定する（ステップＳ６７）。アナログＦＡＸ送信に成功した場合には（ステップＳ６７／ＹＥＳ）、制御部１０は、送信成功の履歴をＲＡＭ１３に記録し、（ステップＳ６８）この処理を終了させる。例えば、送信成功の履歴として、相手先電話番号、送信開始時刻、送信にかかった時間、送信に使用したファクシミリの規格（Ｇ３、Ｇ４等）を記録する。
【００４７】
また、アナログＦＡＸ送信に失敗した場合には（ステップＳ６７／ＮＯ）、制御部１０は、送信失敗の履歴を記録する（ステップＳ６９）。送信失敗の履歴としても、相手先電話番号、送信開始時刻、送信に使用したファクシミリの規格（Ｇ３、Ｇ４等）等を記録する。次に、制御部１０は、画像蓄積部３０に未送信の画像データがある場合に、図２（Ｂ）に示す履歴管理テーブルを参照し、設定情報が、再送信指示後に再送信を行う設定（図２（Ｂ）に示す設定情報）となっているか否かを判定する（ステップＳ７０）。設定情報が再送信指示後に再送信を行う設定となっていない場合には（ステップＳ７０／ＮＯ）、制御部１０は、このまま処理を終了させる。また、設定情報が、再送信指示後に再送信を行う設定となっている場合には（ステップＳ７０／ＹＥＳ）、制御部１０は、再送信を指示されたか否かを判定する（ステップＳ７１）。再送信を指示された場合には（ステップＳ７１／ＹＥＳ）、制御部１０は、アナログＦＡＸ部７０を制御して、前回のアナログＦＡＸ送信に使用した電話番号へアナログＦＡＸ送信を行う（ステップＳ６６）。その後、制御部１０は、ステップＳ６７以降の処理を繰り返す。
【００４８】
従って、第３の処理手順では、ＩＰ−ＦＡＸ送信に失敗し、公衆電話網によるアナログＦＡＸ送信に失敗した場合に、設定に従って、再度、公衆電話網によるアナログＦＡＸ送信を行う。
【００４９】
上述した実施例は、本発明の好適な実施の例である。但し、これに限定されるものではなく、本発明の要旨を逸脱しない範囲内において種々変形実施が可能である。
【符号の説明】
【００５０】
１  画像形成装置
１０  制御部（通信エラー検出手段、制御手段）
２０  スキャナ部
３０  画像蓄積部
４０  画像形成部
５０  ＵＩ部（受付手段）
６０  バス
７０  アナログＦＡＸ部（第２の通信手段）
８０  ＩＰ−ＦＡＸ部（第１の通信手段）
【図１】
2011205456.tif 000003
【図２】
2011205456.tif 000004
【図３】
2011205456.tif 000005
【図４】
2011205456.tif 000006
【図５】
2011205456.tif 000007
【図６】
2011205456.tif 000008
【図７】
2011205456.tif 000009
【図８】
2011205456.tif 000010